【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
腰ボトム及び背ボトムを支持するベッドフレームと、
足ボトムを支持し、前記ベッドフレームの下方をベッド長手方向に沿って移動可能な足部フレームと、
前記足部フレームに対して上下動可能に取り付けられたレバーと、
前記ベッド長手方向に延び、前記レバーの上下動に連動して前記ベッド長手方向に運動する連動杆と、
前記連動杆に対して回動可能に連結され、前記連動杆の前記ベッド長手方向の運動に連動して第１位置と第２位置との間で上下動する係止部を有した連結片と、
前記ベッドフレームのベッド足部側に固定され、前記係止部が前記第１位置にあるときに前記連結片の通過を許容し、前記係止部が前記第２位置にあるときに前記連結片の通過を阻止する第１ストッパと、
前記ベッドフレームのベッド頭部側に固定され、前記係止部が前記第１位置にあるときに前記連結片の通過を許容し、前記係止部が前記第２位置にあるときに前記連結片の通過を阻止する第２ストッパと、
前記ベッドフレームの前記第１ストッパと前記第２ストッパとの間に固定され、前記係止部が前記第１位置にあるときに前記連結片の通過を許容し、前記係止部が前記第２位置にあるときに前記連結片の通過を阻止する第３ストッパと、
を備えた妊婦用ベッド。
【請求項２】
前記係止部が前記第１ストッパよりも前記ベッド足部側に位置するときに、前記足ボトムの全体が前記ベッドフレームから引き出されて寝台の一部として使用可能となり、
前記係止部が前記第２ストッパよりも前記ベッド頭部側に位置するときに、前記足ボトムの全体が前記ベッドフレームの下に格納されて前記腰ボトム及び前記背ボトムが椅子として使用可能となり、
前記係止部が前記第３ストッパに係止されているときに、前記足ボトムの一部が前記ベッドフレームから引き出されて新生児受け台として使用可能となる請求項１記載の妊婦用ベッド。
【請求項３】
前記第３ストッパは、
第１部材と、
第２部材と、
を有し、
前記第２部材は前記第１部材と前記第２ストッパとの間に配置されており、
前記第１部材と前記第２部材との間には前記係止部が進入可能であり、
前記第１部材の前記ベッド足部側の端縁と前記ベッド長手方向とのなす角度は、前記第１部材の前記ベッド頭部側の端縁と前記ベッド長手方向とのなす角度よりも小さく、
前記第２部材の前記ベッド頭部側の端縁と前記ベッド長手方向とのなす角度は、前記第２部材の前記ベッド足部側の端縁と前記ベッド長手方向とのなす角度よりも小さい請求項１または２に記載の妊婦用ベッド。
【請求項４】
前記第１部材の前記ベッド頭部側の端縁における前記第１位置側の部分は、前記ベッド頭部側に張り出している請求項３記載の妊婦用ベッド。
【請求項５】
前記第１ストッパの前記ベッド頭部側の端縁と前記ベッド長手方向とのなす角度は、前記第１ストッパの前記ベッド足部側の端縁と前記ベッド長手方向とのなす角度よりも小さく、
前記第２ストッパの前記ベッド足部側の端縁と前記ベッド長手方向とのなす角度は、前記第２ストッパの前記ベッド頭部側の端縁と前記ベッド長手方向とのなす角度よりも小さい請求項１〜４のいずれか１つに記載の妊婦用ベッド。
【請求項６】
前記連結片には長孔が形成されており、
前記連動杆は前記長孔内を移動可能な突起を有し、
前記足部フレームが前記ベッド長手方向に沿って移動することにより、前記係止部が前記第２位置から前記第１位置に変位したときに、前記突起が前記長孔内を移動する請求項１〜５のいずれか１つに記載の妊婦用ベッド。
【手続補正２】
【補正対象書類名】明細書
【補正対象項目名】００１３
【補正方法】変更
【補正の内容】
【００１３】
実施形態に係る妊婦用ベッドは、
腰ボトム及び背ボトムを支持するベッドフレームと、
足ボトムを支持し、前記ベッドフレームの下方をベッド長手方向に沿って移動可能な足部フレームと、
前記足部フレームに対して上下動可能に取り付けられたレバーと、
前記ベッド長手方向に延び、前記レバーの上下動に連動して前記ベッド長手方向に運動する連動杆と、
前記連動杆に対して回動可能に連結され、前記連動杆の前記ベッド長手方向の運動に連動して第１位置と第２位置との間で上下動する係止部を有した連結片と、
前記ベッドフレームのベッド足部側に固定され、前記係止部が前記第１位置にあるときに前記連結片の通過を許容し、前記係止部が前記第２位置にあるときに前記連結片の通過を阻止する第１ストッパと、
前記ベッドフレームのベッド頭部側に固定され、前記係止部が前記第１位置にあるときに前記連結片の通過を許容し、前記係止部が前記第２位置にあるときに前記連結片の通過を阻止する第２ストッパと、
前記ベッドフレームの前記第１ストッパと前記第２ストッパとの間に固定され、前記係止部が前記第１位置にあるときに前記連結片の通過を許容し、前記係止部が前記第２位置にあるときに前記連結片の通過を阻止する第３ストッパと、
を備える。
【手続補正３】
【補正対象書類名】明細書
【補正対象項目名】００１４
【補正方法】変更
【補正の内容】
【００１４】
この妊婦用ベッドにおいては、例えば、
前記係止部が前記第１ストッパよりも前記ベッド足部側に位置するときに、前記足ボトムの全体が前記ベッドフレームから引き出されて寝台の一部として使用可能となり、
前記係止部が前記第２ストッパよりも前記ベッド頭部側に位置するときに、前記足ボトムの全体が前記ベッドフレームの下に格納されて前記腰ボトム及び前記背ボトムが椅子として使用可能となり、
前記係止部が前記第３ストッパに係止されているときに、前記足ボトムの一部が前記ベッドフレームから引き出されて新生児受け台として使用可能となる。
【手続補正４】
【補正対象書類名】明細書
【補正対象項目名】００１５
【補正方法】変更
【補正の内容】
【００１５】
前記第３ストッパは、例えば、
第１部材と、
第２部材と、
を有し、
前記第２部材は前記第１部材と前記第２ストッパとの間に配置されており、
前記第１部材と前記第２部材との間には前記係止部が進入可能であり、
前記第１部材の前記ベッド足部側の端縁と前記ベッド長手方向とのなす角度は、前記第１部材の前記ベッド頭部側の端縁と前記ベッド長手方向とのなす角度よりも小さく、
前記第２部材の前記ベッド頭部側の端縁と前記ベッド長手方向とのなす角度は、前記第２部材の前記ベッド足部側の端縁と前記ベッド長手方向とのなす角度よりも小さい。
【手続補正５】
【補正対象書類名】明細書
【補正対象項目名】００１６
【補正方法】変更
【補正の内容】
【００１６】
この場合において、前記第１部材の前記ベッド頭部側の端縁における前記第１位置側の部分は、前記ベッド頭部側に張り出していてもよい。
【手続補正６】
【補正対象書類名】明細書
【補正対象項目名】００１７
【補正方法】変更
【補正の内容】
【００１７】
この妊婦用ベッドにおいて、例えば、
前記第１ストッパの前記ベッド頭部側の端縁と前記ベッド長手方向とのなす角度は、前記第１ストッパの前記ベッド足部側の端縁と前記ベッド長手方向とのなす角度よりも小さく、
前記第２ストッパの前記ベッド足部側の端縁と前記ベッド長手方向とのなす角度は、前記第２ストッパの前記ベッド頭部側の端縁と前記ベッド長手方向とのなす角度よりも小さい。
【手続補正７】
【補正対象書類名】明細書
【補正対象項目名】００１８
【補正方法】変更
【補正の内容】
【００１８】
この妊婦用ベッドにおいて、例えば、
前記連結片には長孔が形成されており、
前記連動杆は前記長孔内を移動可能な突起を有し、
前記足部フレームが前記ベッド長手方向に沿って移動することにより、前記係止部が前記第２位置から前記第１位置に変位したときに、前記突起が前記長孔内を移動する。